(57)【特許請求の範囲】
【請求項１】
上下端開口の内容器（２）と、内容器（２）を囲む外装体（４）と、外装体（４）の上端中央に着脱自在に装着し、内容器（２）の上端開口を開閉する蓋体（５）と、外装体（４）の下端を覆う底板（６）と、内容器（２）の下端開口に連通したジョイントパイプ（１０）と、ジョイントパイプ（１０）に連通し、内部に液通路と外部へ吐出する吐出パイプ（３５）、液通路を開閉するレバー（３３）とを備えたユニット本体（５１）及びユニット本体（５１）のレバー（３３）を操作するタッチ板（３７）とからなる吐出機構（１１）と、内容器（２）内の液量を表示する液量パイプ（３９）、液量パイプ（３９）に連通し他端を液通路に連通する下部ジョイントパイプ（４１）、液量パイプ（３９）に連通し他端を内容器の上端開口高さ位置近くまで延ばして自由端とした柔軟性の上部ジョイントパイプ（４０）とからなる液量表示機構（１２）とを設けた液体保温容器（１）に於いて、上記吐出機構（１１）のタッチ板（３７）の押圧にて液量表示機構（１２）の上部ジョイントパイプ（４０）内を遮断することを特徴とした液体保温容器。
【請求項２】
上記タッチ板（３７）が直接的に上部ジョイントパイプ（４０）内を遮断する請求項１記載の液体保温容器。
【請求項３】
上記タッチ板（３７）が遮蔽部材を介して間接的に上部ジョイントパイプ（４０）内を遮断する請求項１記載の液体保温容器。
【発明の詳細な説明】
【技術分野】
【０００１】
本発明は、液体保温容器の本体前面で内容器内の液量を目視する液量表示機構を備えた
液体保温容器に関するものである。
【背景技術】
【０００２】
従来、液量表示機構を備えた液体保温容器としては、内容器を囲む外装体の前面に上下透明とした前面パネルを設け、この前面パネルの後側に内容器内の液量を表示する液量表示パイプを設け、内容器内と液量表示パイプとを連通してなる構造のものが実開昭６２−９６３３４号公報（特許文献１  図２及び図４参照）として存在する。
【０００３】
【特許文献１】実開昭６２−９６３３４号（図２及び図４）
【０００４】
以下、特許文献１の図２及び図４により従来の液体保温容器について説明する。
この特許文献１の保温容器にあっては、上下端開口の中容器８を設け、この中容器８を囲んだ外装体７を設け、底体４の中央で締上げ体３４を締めて中容器８を押し上げ保持し、中容器８の下端開口に濾過部材３９を設け、この濾過部材３９の前方に向けて流出部４１を設け、この流出部４１に連通し、注出口５３を備えた注出口部材５１、注出口５３を開閉する開閉弁５５、開閉弁５５を前後摺動するロッド５６、ロッド５６を作動する操作桿６４、操作桿６４を外装体７の前方上方より操作する操作部材６０とからなる吐出機構を設けた構成としている。
【０００５】
そして、この保温容器の液量表示機構は、水位管６６と、水位管６６の下端に連通し、他端を中容器８の下部開口１０と連通したチューブ４５と、水位管６６の上端に連通した連通部材６８と、接続管６９を介して連通部材６８と連通し、他端を中容器８の上部開口部９と連通したチューブ２３とを設けている。
【０００６】
上記吐出機構は、操作部材６０を下方へ押圧すると、中容器８内の液体を注出口５３より吐出し、操作部材６０を離すと注出口５３が閉鎖され液体の吐出を止めている。又、液量表示機構は、常に水位管６６に示された液面によって中容器８内の液体の量を表示している。
【発明の開示】
【発明が解決しようとする課題】
【０００７】
ところが、この保温容器は、吐出機構の操作部材６０の操作にて中容器８内の液体を吐出することができるが、この吐出に伴って、液量表示機構の水位管６６に示された液面では、水位管６６の下方からの液圧と上方からの外気圧との圧力の均衡が壊れ、短時間に圧力差の変動を抑制しようとして、激しく上下に揺れることとなって、透視窓６７を通して目視する水位管６６の液面を読みとることができないと共に、操作部材６０を停止してもなかなか上下変動は止まず、液面が読みとり難く時間がかかるという問題点があった。
【課題を解決するための手段】
【０００８】
本発明は、上下端開口の内容器２と、内容器２を囲む外装体４と、外装体４の上端中央に着脱自在に装着し、内容器２の上端開口を開閉する蓋体５と、外装体４の下端を覆う底板６と、内容器２の下端開口に連通したジョイントパイプ１０と、ジョイントパイプ１０に連通し、内部に液通路と外部へ吐出する吐出パイプ３５、液通路を開閉するレバー３３とを備えたユニット本体５１及びユニット本体５１のレバー３３を操作するタッチ板３７とからなる吐出機構１１と、内容器２内の液量を表示する液量パイプ３９、液量パイプ３９に連通し他端を液通路に連通する下部ジョイントパイプ４１、液量パイプ３９に連通し他端を内容器の上端開口高さ位置近くまで延ばして自由端とした柔軟性の上部ジョイントパイプ４０とからなる液量表示機構１２とを設けた液体保温容器１に於いて、上記吐出機構１１のタッチ板３７の押圧にて液量表示機構１２の上部ジョイントパイプ４０内を遮断する構成としている。又、タッチ板３７が直接的に上部ジョイントパイプ４０内を遮断する構成としている。更に、タッチ板３７が遮蔽部材を介して間接的に上部ジョイントパイプ４０内を遮断する構成としている。
【発明の効果】
【０００９】
本発明は、従来の問題点を解決したものであって、吐出操作時、目視される液面の急激な上下動を停止して、吐出操作停止時に、液面を速やかに下動して、液面が読みとりやすく、液面の読みとりも早急にできる。
【発明を実施するための最良の形態】
【００１０】
液体保温容器１は、上下端開口の内容器２と、内容器２の底部外壁にあって内容器内の液体を温めるヒータ３と、内容器２を囲む外装体４と、外装体４の上端中央に着脱自在に装着し、内容器２の上端開口を開閉する蓋体５と、外装体４内下端に装着し、内容器２を支える底板６と、中央のヒータ３を支え、下部への放熱を遮蔽する金属製の遮蔽板７と、この遮蔽板７と間隔を隔てて外装体４の下部前面を残して外装体下端面を覆う底カバー体８と、底カバー体８に装着し、外装体下部前方との間に空間部２９を有する台座９と、内容器２の下端開口に連通のジョイントパイプ１０に連通し、内容器内の液体を台座９の空間部２９に向けて吐出する吐出機構１１と、内容器内の液量を外装体の前面上下にて表示する液量表示機構１２と、外装体の前面で上部前面より下部前面にあって、吐出機構１１及び液量表示機構１２を覆う前カバー１３とから構成されている。
【００１１】
内容器２は、ガラス製又はステンレス等の金属製の一重容器で有底筒状に形成されており、上端を内容器内に手を入れて掃除しやすいような広口とし、下端を細口として開口している。内容器２は、ガラス製のときには内壁に銀蒸着を施すようにしてもよい。この内容器２の下端細口には、図２に示すように、ゴム等の弾性材料からなる中空のジョイントパイプ１０を連通している。
【００１２】
ヒータ３は、内容器２の下端開口周りにリング状にして貼り付けられており、内容器内の液体を温めるだけで、沸騰させるものではない。１５は、サーミスタ等の温度感知器である。
【００１３】
外装体４は、合成樹脂材料にて図２に示すように、内容器２の周側壁を覆う胴部と、内容器２の上端部を覆う肩部とを一体成形しており、上端の中央を段状に下げて、内容器２の上端開口とシールパッキンを介して連通している。この外装体４の上端中央の段状内側壁には、ネジを刻設し後述の蓋体を螺着するようにしている。
外装体４は、内容器２と所定の間隔を隔てており、下部内周壁に適宜の間隔を隔てて後述の底板６を係止する複数の係止片を設けている。
【００１４】
外装体４は、図３に示すように、前面壁上部両側より前方に突出した左、右上部フランジ部２４、２４を設けている。この左、右上部フランジ部２４、２４は、それぞれ上面に後述の前カバー１３の突起を嵌め込むくぼみ２７を設けている。
【００１５】
この左、右上部フランジ部２４、２４の間は、図３に示すように、左右に設けた立壁３０，３０にて仕切られており、この立壁３０，３０間に後述の吐出機構１１のタッチ板３７を前カバー１３と共に嵌め込んでいる。
内容器２と外装体４との間の空所１４には、発泡ウレタンを充填して、保温性、耐久性等の向上をはかっている。
【００１６】
蓋体５は、外装体４の段状に刻設されたネジに螺着し、中央を上下に開口する下蓋１６と、下蓋１６の上面を覆い、中央を上下に広い開口とする上蓋１７と、下蓋１６の下端中央より垂下した注水パイプ１８と、注水パイプ１８と連通する漏斗状の液体路を備え、上蓋１７と下蓋１６との間に設けて、操作レバー１９にて回動するガイド板２０と、ガイド板２０に伴って摺動し、液体路を開閉する開閉板２１とを設けている。
【００１７】
この蓋体５は、外装体４の段状内に螺着したままで、操作レバー１９を操作し開閉板２１を移動して開放し、上蓋１７の中央の開口よりガイド板２０の液体路及び下蓋１６の中央の開口並びに注水パイプ１８内を連通して、上蓋１７の上方より内容器内に液体を供給することができる。
【００１８】
また、液体の供給が終了すれば、操作レバー１９を逆方向に操作して、開閉板２１を逆方向に移動し閉鎖する。これにより上蓋１７の中央の開口とガイド板２０の液体路とが確実に遮蔽され、液体の供給を阻止することができる。この蓋体５は、螺着したままで内容器内に液体を供給する構造としたが、特にこれに限定されるものではなく、通常の着脱式の栓構造であっても何ら支障をきたすものではない。
【００１９】
内容器２を支える底板６は、中央のヒータ３より離れた内周壁にて開口し、この内周壁を形成する壁に上方に突出した環状の支柱２２を設け、外周壁を外装体４の下部内周壁に複数設けた係止片に係止している。この底板６は、図３に示すように、前方左右両側に後述の前カバー１３の嵌合片を引っ掛ける垂下片２３、２３を下方に向けて垂下している。
この底板６の垂下片２３の先端には、それぞれ前後方向に貫通した嵌合孔２８を設けている。
【００２０】
この底板６を外装体４の係止片に係止して、内容器２を支柱２２にて支えた後に、この底板６と外装体４と内容器２との空所１４に発泡ウレタンを充填して、保温性、耐久性を向上し、しかも外装体４に係止する底板６の固定を確かなものとしている。
【００２１】
遮蔽板７は、ステンレス等の金属材料にて薄板で中央開口のほぼ円盤状に形成しており、底板６にビス止めされて、ヒータ３の熱が下方に向けて放熱しないようにしている。この遮蔽板７は、後述のドレン排出台３２を固定している。
【００２２】
底カバー体８は、合成樹脂材料にて形成しており、遮蔽板７と上下に間隔を隔てて外装体４の下部前面を除いて外装体下端面を覆っている。この底カバー体８と遮蔽板７との間に温度ヒューズや電子回路を備えた基板等を配置するようにしている。
この底カバー体８は、後述の台座９と一体形成しても何ら支障をきたすものではない。
【００２３】
台座９は、合成樹脂材料にて形成しており、底カバー体８の外周端に装着して、外装体４下部前方との間に空間部２９を備えている。５０は液体を受けるコップである。
ジョイントパイプ１０は、ゴム等の弾性材料にてＬ字型の中空パイプであって、上方を内容器２の下端開口に内側より嵌め込まれて連通している。
【００２４】
吐出機構１１は、液通路の通ったユニット本体５１と、ユニット本体５１の液通路の開閉を操作するタッチ板３７と、タッチ板３７の駆動をユニット本体５１に伝える操作軸３８とから構成されている。このユニット本体５１は、ジョイントパイプ１０に連通する液通路を備えたユニットパイプ３１と、ユニットパイプ３１内で液通路を閉鎖、開放する弁体と、弁体を外部前面より操作するレバー３３と、レバー３３を摺動する摺動板３４と、弁体を復帰するスプリングと、液通路と連通し液体を外部へ吐出する吐出パイプ３５とからなっている。３２は、ジョイントパイプ１０の下端にあって、ジョイントパイプ１０からのドレンを台座９の空間部２９に向けて排出するドレン排出台である。
【００２５】
タッチ板３７は、後述の前カバー１３の上方にあって、外装体４の前方上部の左、右上部フランジ板２４、２４の立壁２５、２５間に配置し、内壁側にタッチ板復帰用のバネ５２を設けている。タッチ板３７は、、内壁側上端中央より下方に向けて後述の上部ジョイントパイプ４０の自由端側を挿入、支えるためのピン５３を垂下している。
操作軸３８は、一本の金属製棒状体からなっており、摺動板３４に当接する底体と、底体の左右両側より上方に延びた左、右垂直体と、左、右垂直体のそれぞれが相対して向き合った左、右係体とを一体成形し、この左、右垂直体がタッチ板３７に係止されている。
【００２６】
この吐出機構１１は、後述の前カバー１３に装着されており、液体保温容器１の本体より前カバー１３の着脱と共に着脱している。この吐出機構１１のユニットパイプ３１及び摺動板３４とが後述の前カバー１３の内側に突出した保持板３６に固定されることによって、ユニット本体５１が後述の前カバー１３に固定それることとなる。前カバー１３が液体保温容器１の本体に対して着脱すると共にユニットパイプ３１の後端部が液体保温容器１の本体内のジョイントパイプ１０内側に密に嵌合、離脱するようにしている。
【００２７】
この吐出機構１１は、タッチ板３７に指を掛けタッチ板３７を下方に押圧すると、操作軸３８を降下する。この操作軸３８の降下により摺動板３４を介してレバー３３が後方に押圧される。このレバー３３の押圧によりユニットパイプ３１内の弁体を後方に押圧して、ユニットパイプ３１内の液通路と吐出パイプ３５とを連通し、内容器２内の液体を吐出パイプ３５先端より吐出することとなる。
【００２８】
又、タッチ板３７に掛けた指を離すと、バネ５２によって、タッチ板３７が元の位置に復帰し、同時に操作軸３８が復帰して上昇する。この操作軸３８の上昇により摺動板３４を介してレバー３３を復帰の状態とする。更に、ユニットパイプ３１内の弁体をスプリングを介して前方に復帰させ、液通路と吐出パイプ３５との連通を閉鎖し液体の吐出を防止する。
【００２９】
液量表示機構１２は、後述の前カバー１３前方より目視でき、内容器内の液量を液面５４で示す液量パイプ３９と、一端を液量パイプ３９の下端に連通し、他端をユニットパイプ３１の液通路と連通する下部ジョイントパイプ４１と、一端を液量パイプ３９の上端に連通し、他端を内容器２の上端開口の高さ位置近くまで延ばして自由端とした上部ジョイントパイプ４０とからなっている。上部ジョイントパイプ４０は、後述の前カバー１３の上部突起片２５に支持し、下部ジョイントパイプ４１は、後述の前カバー１３の下部突起片２６に支持している。
【００３０】
液量表示機構１２の上部ジョイントパイプ４０は、折曲げ自在な柔軟性材料からなっており、後述の前カバー１３の上部突起片２５を貫通して支えられ、その自由端がタッチ板３７のピン５３に差し込まれている。下部ジョイントパイプ４１は、後述の前カバー１３の下部突起片２６を貫通して支えられ、ユニットパイプ３１の液通路に連通している。
【００３１】
上部ジョイントパイプ４０は、図４に示すように、吐出機構１１のタッチ板３７の押圧操作によって、後述の前カバー１３の上部突起片２５を貫通し、タッチ板３７のピン５３に差し込まれた上方部分が折れ曲がって、上部ジョイントパイプ４０内を遮断し、上部ジョイントパイプ４０内への外気圧の侵入が妨げられることとなる。
【００３２】
このように上部ジョイントパイプ４０内の遮断は、タッチ板３７にて直接遮断することもできるが、例えば、図５に示すように、タッチ板３７の押圧にて降下する操作軸３８の上方に前方に延びた張出片５５を操作軸３８と一体的に形成して、上部ジョイントパイプ４０の上方を張出片５５を貫通させて配置し、後述の前カバー１３にも上部ジョイントパイプ４０を貫通する突出片５６を設け、この張出片５５及び突出片５６のような遮蔽部材を介して、操作軸３８の降下に伴い突出片５６上方の上部ジョイントパイプ４０部分が張出片５５の降下にて折れ曲がって、上部ジョイントパイプ４０内の遮断するようなタッチ板と間接的な構成としてもよい。
【００３３】
タッチ板３７の下方押圧によって、上部ジョイントパイプ４０内を遮断すれば、吐出パイプ３５から内容器２内の液体が外部へ吐出されても、液量表示機構１２の液量パイプ３９にて示される液面５４は、大きく上下に変動することなく、しかもタッチ板３７の押圧停止に伴って液面５４が徐々にかつ速やかに降下して内容器２内の液量を表示することとなる。
【００３４】
この液量パイプ３９に連通した下部ジョイントパイプ４１の他端は、ユニットパイプ３１内の弁体摺動部分よりも後方で、ジョイントパイプ１０内に嵌合されるユニットパイプ３１の後方よりも前方の液通路側と連通しており、これにより前カバー１３と共に着脱する吐出機構１１に同調して液量表示機構１２も前カバー１３と共に液体保温容器１の本体より着脱することとなる。
【００３５】
前カバー１３は、図３に示すように、上部内側の左右に外装体４の左、右上部フランジ板２４、２４上に重ね合わされる左、右フランジ部４２、４２と、上部ジョイントパイプ４０を支える上部突起片２５と、下部ジョイントパイプ４１を支える下部突起片２６と、吐出機構１１のユニットパイプ３１及び摺動板３４とを固定する保持板３６と、下部内側の左右に嵌合部４３、４３とを一体成形している。
左、右フランジ部４２、４２は、それぞれ下面に左、右上部フランジ板２４、２４のくぼみ２７、２７に嵌め合う突起４５、４５を設けている。
【００３６】
前カバー１３の嵌合部４３は、図３に示すように、前カバー１３の底部より一旦上昇して後方に延び彎曲して前方に延びた挿入片４６と、この挿入片４６より下方に垂下して前方に延びた押圧片４７とを一体成形して、押圧片４７を前カバー１３の底部と別離としている。挿入片４６の下面壁には、底板６の嵌合孔２８に挿入片４６が挿入された後に、嵌合孔２８より挿入片４６が抜き出るのを阻止する爪部４８を設けている。押圧片４７は、前カバー１３の底部と別離しているので、弾性を有することとなって、挿入片４６の下側の壁を押し上げることができる。
【００３７】
前カバー１３には、タッチ板３７が間接的に上部ジョイントパイプ内を遮断する図５に示すような構造の場合は、操作軸３８に一体的に形成し、上部ジョイントパイプ４０の上方を貫通させた張出片５５よりも下方位置で、上部ジョイントパイプ４０を支える上部突起片２５の上方に突出片５６を設けることもできる。
【００３８】
前カバー１３を液体保温容器１の本体より取り外すには、嵌合部４３の押圧片４７を上方に押して前方へ引くと弾性により挿入片４６の爪部４８が押し上げられ、底板６の嵌合孔２８より挿入片４６がはずれて前カバー１３を前方へ引き出せ、更に上部の左、右フランジ部４２、４２の突起４５、４５も外装体４のくぼみ２７、２７よりはずれて、前カバー１３を工具無しに極めて簡単に取り外すことができる。
【００３９】
勿論、前カバー１３を前方へ引き出せば、ユニットパイプ３１の後端部がジョイントパイプ１０よりはずれ、この前カバー１３と共に吐出機構１１も液体保温容器１の本体より極めて簡単に取り外すことができる。更に液量表示機構１２も吐出機構１１と同様に前カバー１３と共に液体保温容器１の本体より取り外すことができる。
【００４０】
又、逆に前カバー１３を液体保温容器１の本体に装着するには、上部の左、右フランジ部４２、４２の各突起４５を外装体４の各くぼみ２７に嵌め込んだ後に、各嵌合部４３の挿入片４６を底板６の各嵌合孔２８に向けて差し込むと、挿入片４６の爪部４８が嵌合孔２８の後方より嵌合孔２８を形成する下壁に係止されて、前カバー１３を工具無しに確実、簡単に装着することができる。
【００４１】
勿論、嵌合部４３の挿入片４６を底板６の各嵌合孔２８に向けて差し込むと同時に吐出機構１１のユニットパイプ３１の後端部をジョイントパイプ１０内に差し込むことにより、吐出機構１１を液量表示機構１２と共に液体保温容器１の本体に装着することができる。このジョイントパイプ１０内に差し込まれる吐出機構１１のユニットパイプ３１の後端部とジョイントパイプ１０とは常に嵌合時の位置決めがなされている。
【００４２】
以上本発明の代表的と思われる実施例について説明したが、本発明は必ずしもこれら実施例構造のみに限定されるものではなく、液量表示機構を備えた電気ポット、魔法びん等のように本発明にいう前記の構成要件を備え、かつ、本発明にいう目的を達成し、本発明にいう効果を有する範囲内において適宜改変して実施することができるものである。
【図面の簡単な説明】
【００４３】
【図１】本発明実施例の正面図。
【図２】本発明実施例の縦断面図。
【図３】本発明実施例の前カバーを取り外した一部縦断面図。
【図４】本発明実施例のタッチ板の押圧状態を示す一部拡大断面図。
【図５】本発明他の実施例を示す一部拡大断面図。
【符号の説明】
【００４４】
１…液体保温容器
２…内容器
４…外装体
５…蓋体
６…底板
７…遮蔽板
８…底カバー体
９…台座
１０…ジョイントパイプ
１１…吐出機構
１２…液量表示機構
１３…前カバー
３１…ユニットパイプ
３３…レバー
３４…摺動板
３５…吐出パイプ
３７…タッチ板
３８…操作軸
３９…液量パイプ
４０…上部ジョイントパイプ
４１…下部ジョイントパイプ
５１…ユニット本体
５３…ピン
５４…液面
【図１】
0003711128.tif 000002
【図２】
0003711128.tif 000003
【図３】
0003711128.tif 000004
【図４】
0003711128.tif 000005
【図５】
0003711128.tif 000006